【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
携帯機器と当該携帯機器と一緒に携行されるカメラとからなるカメラシステムにおいて、
上記携帯機器は、
時刻を検出する携帯機器の時計部と、
当該携帯機器の位置を検出する位置検出部と、
上記位置検出部により検出された位置情報と上記携帯機器の時計部により検出された当該位置情報が取得された時刻情報を当該カメラからの要求に応じてカメラに送信する送信部を備え、
上記カメラは、
上記携帯機器に上記位置情報の取得を要求する送信部と、
上記携帯機器から送信される位置情報と当該位置情報が取得された時刻情報を受信する受信部と、
上記受信された位置情報と当該位置情報が取得された時刻情報を記憶する記憶部と、
時刻を検出するためのカメラの時計部と、
上記記憶部に記憶されている位置情報が撮影された時刻より所定時間以上前に取得された位置情報である場合には、上記携帯機器に位置情報の再取得を要求する制御部と、
上記記憶部に記憶されている位置情報が撮影された時刻より所定時間以内に取得された位置情報である場合には、上記記憶部に記憶されている位置情報を撮影される画像データとともに記録し、上記記憶部に記憶されている位置情報が撮影された時刻より所定時間以上前に取得された位置情報である場合には、上記再取得された位置情報を撮影される画像データとともに記録する記録部を備える
ことを特徴とするカメラシステム。
【請求項２】
携帯機器と当該携帯機器と一緒に携行されるカメラとからなるカメラシステムにおいて、
上記携帯機器は、
時刻を検出する携帯機器の時計部と、
当該携帯機器の位置を検出する位置検出部と、
上記位置検出部により検出された位置情報と上記携帯機器の時計部により検出された時刻情報を当該カメラに送信する送信部を備え、
上記カメラは、
上記携帯機器から送信される位置情報と時刻情報を受信する受信部と、
時刻を検出するためのカメラの時計部と、
上記携帯機器から受信された上記時刻情報によって上記カメラの時計部の時刻を修正する制御部と、
撮影される画像データを、上記携帯機器の位置情報と上記修正されたカメラの時計部による時刻情報とともに記録する記録部と、を備える
ことを特徴とするカメラシステム。
【請求項３】
時刻を検出する時計部と位置を検出する位置検出部を備える携帯機器に対して一緒に携行されるカメラにおいて、
上記携帯機器から送信される位置情報と時刻情報を受信する受信部と、
時刻を検出するためのカメラの時計部と、
上記携帯機器から受信された上記時刻情報によって上記カメラの時計部の時刻を修正する制御部と、
撮影される画像データを、上記携帯機器の位置情報と上記修正されたカメラの時計部による時刻情報とともに記録する記録部と、を備える
ことを特徴とするカメラ。
【請求項４】
上記制御部は、指示に応じて上記携帯機器に時刻情報のみの送信を要求し、受信した携帯機器に時刻情報によって、上記カメラの時計部の時刻を修正する
ことを特徴とする請求項３に記載のカメラ。
【請求項５】
携帯機器と当該携帯機器と一緒に携行されるカメラからなるカメラシステムにおいて、
上記携帯機器は、
時刻を検出する携帯機器の時計部と、
当該携帯機器の位置を検出する位置検出部と、
上記位置検出部で検出された位置情報と上記携帯機器の時計部により検出された当該位置情報が取得された時刻の時刻情報について、異なるタイミングで取得された位置情報と取得された時刻情報の複数の組を当該カメラに送信する送信部を備え、
上記カメラは、
上記携帯機器から送信される上記異なるタイミングで取得された位置情報と取得された時刻情報の複数の組を受信する受信部と、
上記受信された異なるタイミングで取得された位置情報と取得された時刻情報の複数の組を記憶する記憶部と、
撮影時刻を検出するカメラの時計部と、
上記撮影時刻と上記位置情報が取得された時刻情報とを比較して、上記記憶部に記憶されている携帯機器の複数の位置情報の中からカメラの位置情報を決定する位置決定部と、
撮影された画像データを、上記決定されたカメラの位置情報とともに記録する記録部と、を備える
ことを特徴とするカメラシステム。
【請求項６】
時刻を検出する時計部と位置を検出する位置検出部を備える携帯機器と一緒に携行されるカメラにおいて、
上記位置検出部で検出された位置情報と上記携帯機器の時計部により検出された当該位置情報が取得された時刻の時刻情報について、上記携帯機器から送信される異なるタイミングで取得された上記位置情報と当該取得された時刻情報の複数の組を受信する受信部と、
上記受信された異なるタイミングで取得された位置情報と取得された時刻情報の複数の組を記憶する記憶部と、
撮影時刻を検出するカメラの時計部と、
上記撮影時刻と上記位置情報が取得された時刻情報とを比較して、上記記憶部に記憶されている携帯機器の複数の位置情報の中からカメラの位置情報を決定する位置決定部と、
撮影された画像データを、上記決定されたカメラの位置情報とともに記録する記録部と、を備える
ことを特徴とするカメラ。
【請求項７】
上記位置決定部は、上記撮影時刻の前後の時刻に取得された２つの位置情報の中間の位置を、カメラの位置情報に決定する
ことを特徴とする請求項６に記載のカメラ。
【請求項８】
携帯機器と、この携帯機器と通信可能で携帯機器と一緒に携行されるカメラとからなるカメラシステムにおいて、
上記携帯機器は、
位置を検出する携帯機器の位置検出部と、
上記携帯機器の位置検出部で検出される位置情報を上記カメラに送信する送信部を備え、
上記カメラは、
上記携帯機器から送信される位置情報を受信する受信部と、
位置を検出するカメラの位置検出部と、
上記カメラの位置検出部による位置情報が取得できないときに、上記携帯機器の位置検出部による位置情報を取得するよう制御する制御部と、
上記カメラの位置検出部による位置情報が取得できるときにはカメラの位置検出部による位置情報を上記撮影結果と関連付けて記録し、上記カメラの位置検出部による位置情報が取得できないときには、上記携帯機器の位置検出部による位置情報を上記撮影結果と関連付けて記録する記録部と、を備える
ことを特徴とするカメラシステム。
【手続補正２】
【補正対象書類名】明細書
【補正対象項目名】発明の名称
【補正方法】変更
【補正の内容】
【発明の名称】カメラ、カメラシステム
【手続補正３】
【補正対象書類名】明細書
【補正対象項目名】０００８
【補正方法】変更
【補正の内容】
【０００８】
本願発明は、上記課題に鑑み、携帯機器の位置情報を有効に利用するカメラ、カメラシステムを提供することを目的とする。
【手続補正４】
【補正対象書類名】明細書
【補正対象項目名】０００９
【補正方法】変更
【補正の内容】
【０００９】
上記目的を達成するために、第１の発明によるカメラシステムは、携帯機器と当該携帯機器と一緒に携行されるカメラとからなるカメラシステムにおいて、上記携帯機器は、時刻を検出する携帯機器の時計部と、当該携帯機器の位置を検出する位置検出部と、上記位置検出部により検出された位置情報と上記携帯機器の時計部により検出された当該位置情報が取得された時刻情報を当該カメラからの要求に応じてカメラに送信する送信部を備え、
上記カメラは、上記携帯機器に上記位置情報の取得を要求する送信部と、上記携帯機器から送信される位置情報と当該位置情報が取得された時刻情報を受信する受信部と、上記受信された位置情報と当該位置情報が取得された時刻情報を記憶する記憶部と、時刻を検出するためのカメラの時計部と、上記記憶部に記憶されている位置情報が撮影された時刻より所定時間以上前に取得された位置情報である場合には、上記携帯機器に位置情報の再取得を要求する制御部と、上記記憶部に記憶されている位置情報が撮影された時刻より所定時間以内に取得された位置情報である場合には、上記記憶部に記憶されている位置情報を撮影される画像データとともに記録し、上記記憶部に記憶されている位置情報が撮影された時刻より所定時間以上前に取得された位置情報である場合には、上記再取得された位置情報を撮影される画像データとともに記録する記録部を備えるものである。
【手続補正５】
【補正対象書類名】明細書
【補正対象項目名】００１０
【補正方法】変更
【補正の内容】
【００１０】
また、第２の発明によるカメラシステムは、携帯機器と当該携帯機器と一緒に携行されるカメラとからなるカメラシステムにおいて、上記携帯機器は、時刻を検出する携帯機器の時計部と、当該携帯機器の位置を検出する位置検出部と、上記位置検出部により検出された位置情報と上記携帯機器の時計部により検出された時刻情報を当該カメラに送信する送信部を備え、上記カメラは、上記携帯機器から送信される位置情報と時刻情報を受信する受信部と、時刻を検出するためのカメラの時計部と、上記携帯機器から受信された上記時刻情報によって上記カメラの時計部の時刻を修正する制御部と、撮影される画像データを、上記携帯機器の位置情報と上記修正されたカメラの時計部による時刻情報とともに記録する記録部と、を備えるものである。
【手続補正６】
【補正対象書類名】明細書
【補正対象項目名】００１１
【補正方法】変更
【補正の内容】
【００１１】
また、第３の発明によるカメラは、時刻を検出する時計部と位置を検出する位置検出部を備える携帯機器に対して一緒に携行されるカメラにおいて、上記携帯機器から送信される位置情報と時刻情報を受信する受信部と、時刻を検出するためのカメラの時計部と、
上記携帯機器から受信された上記時刻情報によって上記カメラの時計部の時刻を修正する制御部と、撮影される画像データを、上記携帯機器の位置情報と上記修正されたカメラの時計部による時刻情報とともに記録する記録部と、を備えるものである。
【手続補正７】
【補正対象書類名】明細書
【補正対象項目名】００１２
【補正方法】変更
【補正の内容】
【００１２】
また、第４の発明によるカメラシステムは、携帯機器と当該携帯機器と一緒に携行されるカメラからなるカメラシステムにおいて、上記携帯機器は、時刻を検出する携帯機器の時計部と、当該携帯機器の位置を検出する位置検出部と、上記位置検出部で検出された位置情報と上記携帯機器の時計部により検出された当該位置情報が取得された時刻の時刻情報について、異なるタイミングで取得された位置情報と取得された時刻情報の複数の組を当該カメラに送信する送信部を備え、上記カメラは、上記携帯機器から送信される上記異なるタイミングで取得された位置情報と取得された時刻情報の複数の組を受信する受信部と、上記受信された異なるタイミングで取得された位置情報と取得された時刻情報の複数の組を記憶する記憶部と、撮影時刻を検出するカメラの時計部と、上記撮影時刻と上記位置情報が取得された時刻情報とを比較して、上記記憶部に記憶されている携帯機器の複数の位置情報の中からカメラの位置情報を決定する位置決定部と、撮影された画像データを、上記決定されたカメラの位置情報とともに記録する記録部と、を備えるものである。
【手続補正８】
【補正対象書類名】明細書
【補正対象項目名】００１３
【補正方法】変更
【補正の内容】
【００１３】
また、第５の発明によるカメラシステムは、携帯機器と、この携帯機器と通信可能で携帯機器と一緒に携行されるカメラとからなるカメラシステムにおいて、上記携帯機器は、位置を検出する携帯機器の位置検出部と、上記携帯機器の位置検出部で検出される位置情報を上記カメラに送信する送信部を備え、上記カメラは、上記携帯機器から送信される位置情報を受信する受信部と、位置を検出するカメラの位置検出部と、上記カメラの位置検出部による位置情報が取得できないときに、上記携帯機器の位置検出部による位置情報を取得するよう制御する制御部と、上記カメラの位置検出部による位置情報が取得できるときにはカメラの位置検出部による位置情報を上記撮影結果と関連付けて記録し、上記カメラの位置検出部による位置情報が取得できないときには、上記携帯機器の位置検出部による位置情報を上記撮影結果と関連付けて記録する記録部と、を備えるものである。
【手続補正９】
【補正対象書類名】明細書
【補正対象項目名】００１４
【補正方法】変更
【補正の内容】
【００１４】
本発明によれば、携帯機器の位置情報を有効に利用するカメラ、カメラシステムを提供することができる。
【手続補正１０】
【補正対象書類名】明細書
【補正対象項目名】００１６
【補正方法】変更
【補正の内容】
【００１６】
画像処理部５は、内部に圧縮部や伸張部等が設けられ、ＡＦＥ部４から出力された画像
データに対して色補正や信号圧縮、伸張などの処理を行う。圧縮部は、画像データをメモリ７に記録するための例えばＪＰＥＧ（Joint Photographic Expert Group）圧縮やＭＰＥＧ（Motion Picture Experts Group）圧縮を行い、また音声圧縮の機能も有する。伸張部は、圧縮された画像データを元に戻す処理を行う。また、ＡＦ部１２は、画像処理部５からの画像のコントラスト値に基づいて合焦位置を検出し、このピントレンズを移動させる。
【手続補正１１】
【補正対象書類名】明細書
【補正対象項目名】００３４
【補正方法】変更
【補正の内容】
【００３４】
そして、カメラ１が内蔵するＧＰＳ部１７では位置情報Ｐが取得できない場合（例えば、ビルの中や影）に、ユーザーがカメラ１と一緒に携行している携帯機器１００で位置情報Ｐが取得してそれをカメラ１が入手できれば、カメラ１で位置情報Ｐを記録することができる。一方、携帯機器１００の通信エリアは国内の都市部に限定されているので、それ以外の地域では、カメラ側が自らのＧＰＳ部１７で位置判定することが必要になる。そこで、条件に応じて相互に補完するよう制御すれば、カメラ１で位置情報Ｐを常に取得するようにできる。
【手続補正１２】
【補正対象書類名】明細書
【補正対象項目名】００３９
【補正方法】変更
【補正の内容】
【００３９】
なお、上記ではカメラ１と携帯機器の通信をワイヤレスで行う形式で説明したが、利便
性は下がるがＵＳＢ等のケーブルで行っても当然よい。また携帯機器１００には、最低限
カメラ１に位置情報Ｐを提供する機能が設けられていればよく、Ｈ通信部１０４によって
ネットワークを介して画像を通信する機能等は必須ではない。
【手続補正１３】
【補正対象書類名】明細書
【補正対象項目名】００５０
【補正方法】変更
【補正の内容】
【００５０】
携帯機器１００は、通話中(あるいは外部と通信中)の場合（ステップＴ５１ＹＥＳ）に
は、通話（あるいは通信）を優先させる（ステップＴ５２）。通話中でなければ（ステッ
プＴ５１ＮＯ）、カメラ１から本携帯機器１００を起動させる接続要求の信号を受信する
と（ステップＴ５３）、本機器を起動させて、接続ＯＫの信号を返信する。カメラ１は、
携帯機器１００から接続ＯＫの信号を受信すると（ステップＳ５２ＹＥＳ）、位置情報Ｐ
のデータを待つ。接続ＯＫ信号が受信できないときは（ステップＳ５２ＮＯ）、所定時間以内であれば（ステップＳ５３ＹＥＳ）、表示部９に警告を表示する（ステップＳ５５）。所定時間を経過したなら（ステップＳ５３ＮＯ）、携帯機器１００との接続要求を中断して（ステップ５４）戻る。
【手続補正１４】
【補正対象書類名】明細書
【補正対象項目名】００５２
【補正方法】変更
【補正の内容】
【００５２】
一方、携帯機器１００は、カメラ1からの接続要求を受信しないときでも（ステップＴ５３）、定期的に位置検出を行う。この定期検出モードは任意に設定できるものとする。一定時間（例えば３０分）おきに（ステップＴ５８ＹＥＳ）、位置検出を行う（ステップＴ５９）。位置検出ができたときは（ステップＴ６０）、その位置情報Ｐから地名情報を得て、検出時点での時間情報Ｔもあわせて、Ｈ記憶部１０６に記憶しておく（ステップＴ６２）。検出できなかったときは、検出不能と判定して記憶する（ステップＴ６１）。なおここで記憶するのは、地名情報に変換する前の位置情報Ｐと時間情報Ｔだけでもよい。
【手続補正１５】
【補正対象書類名】明細書
【補正対象項目名】００８１
【補正方法】変更
【補正の内容】
【００８１】
一方、図９（Ｂ）では、Ｔ１がＴ０およびＴ２のいずれからも十分に離れているものの
、Ｐ０とＰ２に差が少ないとする。このような場合には、Ｐ１は、Ｐ０またはＰ２と同様
な位置と決定することも可能である。このように、位置情報Ｐが不明なタイミングがあっ
ても、その前後のタイミングと前後の位置情報から、不明な位置を補うことが可能である
。写真の位置情報には、厳密な精度は要求されないことが多いからである。
【手続補正１６】
【補正対象書類名】明細書
【補正対象項目名】００８５
【補正方法】変更
【補正の内容】
【００８５】
そして、ステップＳ１０８では、ΔＴ１≦ΔＴｐを判断する。ΔＴｐは所定時間差で、
例えば１時間である。ΔＴ１が移動可能性の十分に少ない時間差かを判断するためである
。時間差ΔＴ１と所定時間差ΔＴｐを比較する（ステップＳ１０８）。時間差ΔＴ１が所
定時間差ΔＴｐより小さければ（ステップＳ１０８ＹＥＳ）、位置情報Ｐ１をＰ０の値と
同じと決定し、Ｐ０をＰ１の位置情報として記録する（ステップＳ１０９）。Ｔ１がＴ０
に十分に近ければ、移動も少ないと推定できるからである。